(57)【特許請求の範囲】
【請求項１】
放射性廃棄物投入用の重金属製放射線遮蔽簡易容器において、前記簡易容器は上部に投入口を有する円形又は角形等の容器を形成して前記投入口に蓋を載置する構造であって、鋼板とその上部に積層する一枚以上の重金属製遮蔽板で構成される底部と前記底部の上部に載置する複数枚の円形又は角形をなす中空の重金属製遮蔽体と前記中空の重金属製遮蔽体の外周を補強する鋼製管体と前記中空の遮蔽体の内径を補強するフランジ付き管体と前記フランジ付き管体の上部に二本のレ−ルを敷設した蓋移動用板を載置し、前記底部の鋼板に設けたネジ孔と前記外周補強用管体の外周部に設けた取付け部をボルトにより係合してそれぞれを一体的に組み合わせて簡易容器を形成したことを特徴とする重金属製放射線遮蔽簡易容器。
【請求項２】
放射線遮蔽簡易容器の投入口を開閉する蓋の構造において、前記蓋は底板と前記底板の上部に載置する１枚又は２枚以上の重金属製遮蔽板と前記重金属製遮蔽板の外周を補強する筒体と前記筒体及び前記重金属製遮蔽板の上部に載置する覆い板よりなり、前記底板の表面には移動用取手部材を前後方向に２ヵ所設けるとともにネジ孔を有する棒を対角線上に２ヵ所設け、前記底板の両側面には前記簡易容器の上部に載置された板の上面に取り付けた二本のレ−ルに対応する跨ぎ部材を設け、前記覆い板には前記取手部材に係合する長孔を設けるとともにネジ孔を有する棒と係合する孔を設け、前記底板の取手部材と前記覆い板の長孔を係合して前記重金属製遮蔽板と前記筒体を位置決めし、前記底板に設けたネジ孔付き棒と前記覆い板の孔をネジ係合することにより底板と重金属製遮蔽板と筒体を一体的に組合わせ形成したことを特徴とする請求項１に記載の放射線遮蔽簡易容器の蓋。
【請求項３】
放射性廃棄物投入用の重金属製放射線遮蔽簡易容器において、前記簡易容器は上部に投入口を有する円形又は角形等の容器を形成して前記投入口に蓋を載置し、前記簡易容器の上部側面には板を固定してその上面に二本のレ−ルを敷設し、前記蓋の両側面には前記二本のレ−ルに対応する跨ぎ部材を設け、前記跨ぎ部材を前記二本のレ−ルに係合させることにより前記蓋を水平方向に移動可能に設けて前記簡易容器の投入口を開閉するように形成し、前記簡易容器の下部には台車の上面に２カ所以上設けたボルト等の取付け金具に係止するための係合部材を設けて前記台車上に着脱自在に固定し、前記台車の下面にはキャスタ−を４ヵ所取り付けて移動可能に形成し、かつ台車の一端には着脱自在な手押し部材を設け、更に前記手押し部材を台車上に外して置くための位置決め用固定部材を前記台車上の端部に設けたことを特徴とする請求項１に記載の重金属製放射線遮蔽簡易容器。
【発明の詳細な説明】
【技術分野】
【０００１】  本発明は、医療現場にて患者の患部の検査又は放射線治療等に用いられ不要となった放射性廃棄物５を安全に処理するために、短期間保存用の鉛等の重金属等にて形成した放射線遮蔽簡易容器１内に前記放射性廃棄物５を投入して放射線漏れの無いように収容しかつ投入された放射性廃棄物５からの放射線漏れを防止するために水平方向移動可能な蓋２にて投入口を速やかに開閉及び密閉出来る構造の簡易容器１を形成し、放射線漏れを極力抑えるようにすると共に前記簡易容器１内に放射性廃棄物を直接投入するかまたは前記簡易容器１内にバケツ１２を収納して前記放射性廃棄物を前記バケツ１２内に投入し、保存された前記放射性廃棄物５を所定位置に設置している大型の放射線遮蔽容器の所まで台車６を利用して速やかに移動し、前記簡易容器１内の放射性廃棄物５を取り出して移し替え操作をすばやく行うことが出来るように前記簡易容器１を形成しているので、放射性廃棄物５を処理する作業者が直接前記放射線遮蔽簡易容器１内に投入する事が出来るとともに放射性廃棄物５を収納した前記簡易容器１を手軽に移動させて前記簡易容器１内の放射性廃棄物５を所定位置に設置している前記大型の放射線遮蔽容器内に安全に投入処理することが出来る放射線遮蔽簡易容器１に関するものである。
放射線治療の進歩に伴って放射性物質５を患部の検査用又は放射線照射等の医療に取り入れられるに従って従来の放射線遮蔽対策では心許ないことから近年新しい放射線遮蔽対策が考えられて来ているが一般に放射線被爆に対する危険意識が薄く被爆低減対策は余りとられていないのが現状である。また放射性物質５の放射線遮蔽対策として用いられる鉛等の重金属は重量が有るため大型の放射性廃棄用容器を取り扱うための吊り上げ移送設備等の設置は、高額の設備費用を伴うことから病院等の医療現場では敬遠されがちである。従って鉛等で形成した小型の重金属製ブロックを用いて放射性廃棄物５投入用容器の周囲に積み上げて形成した状態で放射性物質５を収納した前記容器を一定期間放置するか又は小量の放射性物質５を小型の遮蔽容器に少しずつ収容して運搬処理する程度のものしか考えられていない。しかしこれらの簡易遮蔽構造は上部が開放されているため放射線に被爆する恐れがあり、また地震などの場合忽ち崩れて前記容器が剥き出しになる場合或いは前記容器が地震で倒れた場合近辺に放射性廃棄物が散乱し放射線で汚染される危険を伴う欠点を有するものである。
また第１７図に示すように鉛板或いはステンレス板或いは鋼板等の板状部材を用いて多数の仕切り板を設けて複数の小型容器を収容し、それぞれの小型容器内に放射性廃棄物５を不燃物、可燃物、注射針等に仕分けして投入し短期間保存している。しかし放射性廃棄物５は常時放射線を放出していることから廃棄処理作業時に受ける放射線被爆は避けられないのが実状である。
そこで本発明は、前記従来の小型容器内に投入していた放射性廃棄物５を放射線漏れの無いように保存し、かつ安全に移し替え処理を行うために、鉛等の重金属を用いて放射線遮蔽簡易容器１を形成し、医療現場の近くに置くことが出来るようにしたものである。前記放射線遮蔽簡易容器１は２０ｋｇ以上の重量物となるので必要に応じ、キヤスタ−９を取り付けた台車６上に取り付けて移動することも考えられので前記簡易容器１の下部に前記台車６に取り付けるための係合部材８を設けている。従って手軽に移し替え及び移動操作が可能であり、しかも放射性廃棄物５の取扱い作業者の放射線被爆を防ぐことが出来ることと手軽にかつ速やかに放射性廃棄物５を前記簡易容器１内に投入収納し、その後所定位置に設置されている大型の放射線遮蔽容器内に安全に移し替え処理を行うことができる優れた放射線遮蔽簡易容器１を提供するものである。
【背景技術】
【０００２】  従来病院等の医療現場にて患部の検査又は放射線照射治療に使用され不要となった放射性廃棄物５は、鉛等の重金属を用いて形成した重量のある放射線遮蔽容器を設置して対応する場合、現存の病院内では重量物の放射線遮蔽容器の移送及び前記放射線遮蔽容器内に放射性廃棄物５を投入する際の蓋の開閉に対応出来る吊り上げ装置又は移送設備を新たに設置しなければならないが、これらの設備は高額の設備費用を伴うことから病院等の医療現場では敬遠されがちである。そのため多くの病院は鉛等の重金属で形成した小型ブロック等を用いて組み合わせ三面体或いは四面体等の簡易放射線遮蔽構造体を構成してその内部に小型容器を複数個設置し、前記小型容器内に放射性廃棄物５の不燃物、可燃物、注射針等の仕分けしたものを一時保管し、保存指定期間内に随時持ち運び可能な放射線遮蔽容器に移し変えるか又はそのまま少量の放射性廃棄物５を移送して廃棄処理しているのが現状である。
従って前記簡易放射線遮蔽構造体では放射性廃棄物５の移送処理を少量づつしか対応できず放射性廃棄物５の処理に多大の移送手間と処理時間を要する欠点を要し、またそれらの放射性廃棄物５の貯蔵時及び移し替え作業の際に放射性廃棄物５から放射されている放射線の完全遮蔽は困難であり移し替え作業時において放射性廃棄物５を取扱う作業者が放射線に被爆する恐れが極めて大きい。従って放射性廃棄物５の移し替え作業時に作業者が放射線に被爆されないよう細心の注意を払って移し替え作業を行わなければならない等の煩わしさを有し、また震度５以上の地震が発生した場合、上記のようなブロック積み上げ構造の簡易放射線遮蔽構造では地震発生と同時に忽ちブロックが崩れて放射性廃棄物５を収納した容器が剥き出しとなる場合或いは容器が崩れたブロックに押し倒された場合には容器内の放射性廃棄物５がその近辺に散乱し、貯蔵場所が放射線で汚染される危険性が大である等多くの欠点を有するものである。
【発明の開示】
【発明が解決しようとする課題】
【０００３】  本発明は上述した従来の欠点を改善し、鉛等の重金属にて形成した重量の有る放射線遮蔽簡易容器１にも拘らず前記簡易容器１内への放射性廃棄物５の投入操作が極めて容易でかつ速やかに行えるので放射線漏れが少なくてすみ放射線被爆の恐れが極めて少ない利点を有し、更に放射性廃棄物５を収容した前記簡易容器１を、所要位置に設置している大型の放射線遮蔽容器の所まで手軽にかつ速やかに移動して前記大型の放射線遮蔽容器内に安全に投入処理する事が出来るので放射性廃棄物５の移し替え操作が極めて簡単であり従って取り扱い作業者の放射線被爆量が少なくて済む等の特徴を有する優れた放射線遮蔽簡易容器１を提供するものである。
【課題を解決するための手段】
【０００４】  本発明の放射線遮蔽簡易容器１は、放射性廃棄物投入用の重金属製放射線遮蔽簡易容器１において、前記簡易容器１は上部に投入口１ａを有する円形又は角形等の容器１を形成して前記投入口１ａに蓋２を載置する構造てあって、鋼板１ｃとその上部に積層する一枚以上の重金属製遮蔽板１ｅで構成される底部と前記底部の上部に載置する複数枚の円形又は角形をなす中空の重金属製遮蔽体１ｆと前記中空の重金属製遮蔽体１ｆの外周を補強する鋼製管体１ｄと前記中空の遮蔽体１ｆの内径を補強するフランジ付き管体１ｇと前記フランジ付き管体１ｇの上部に二本のレ−ル４ａ及び４ｂを敷設した蓋２移動用の板３を載置し、前記底部の鋼板１ｃに設けたネジ孔１５と前記外周補強用管体１ｄの外周に設けた取付け部１６をボルト１７により係合してそれぞれを一体的に組み合わせて簡易容器１を形成したことを特徴とし、請求項２の発明は、放射線遮蔽簡易容器１の投入口１ａを開閉する蓋２の構造において、前記蓋２は底板２ｃと前記底板２ｃの上部に載置する１枚又は２枚以上の重金属製遮蔽板２ｄと前記重金属製遮蔽板２ｄの外周を補強する筒体２ｅと前記筒体２ｅ及び前記重金属製遮蔽板２ｄの上部に載置する覆い板２ｆよりなり、前記底板２ｃの表面には移動用取手部材２ｇを前後方向に２ヵ所設けるとともにネジ孔を有する棒２ｈを対角線上に２ヵ所設け、前記底板２ｄの両側面には前記簡易容器１の上部に載置された板３の上面に取り付けた二本のレ−ル４ａ及び４ｂに対応する跨ぎ部材２ａ及び２ｂを設け、前記覆い板２ｆには前記取手部材２ｇに係合する長孔２ｉを設けるとともにネジ孔を有する棒２ｈと係合する孔２ｊを設け、前記底板２ｃの取手部材２ｇと前記覆い板２ｆの長孔２ｉを係合して前記重金属製遮蔽板２ｄと前記筒体２ｅを位置決めし、前記底板２ｃに設けたネジ孔付き棒２ｈと前記覆い板２ｆの孔２ｊをネジ係合することにより底板２ｃと重金属製遮蔽板２ｄと筒体２ｅを一体的に組み合わせ形成したことを特徴とし、請求項３の発明は、放射性廃棄物５投入用の重金属製放射線遮蔽簡易容器１において、前記簡易容器１は上部に投入口１ａを有する円形又は角形等の容器１を形成して前記投入口１ａに蓋２を載置し、前記簡易容器１の上部側面１ｂには板３を固定してその上面３ａに二本のレ−ル４ａ及び４ｂを敷設し、前記蓋２の両側面には前記二本のレ−ル４ａ及び４ｂに対応する跨ぎ部材２ａ及び２ｂを設け、前記跨ぎ部材２ａ及び２ｂを前記レ−ル４ａ及び４ｂに係合させることにより前記蓋２を水平方向に移動可能に設けて前記簡易容器１の投入口１ａを開閉するように形成し、前記簡易容器１の下部には台車６の上面６ａに２ヵ所以上設けたボルト等の取付け金具７に係止するための係合部材８を設けて前記台車６上に着脱自在に固定し、前記台車６の下面６ｂにはキャスタ−９を４ヵ所取り付けて移動可能に形成し、かつ台車６の一端には着脱自在な手押し部材１０を設け、更に前記手押し部材１０を台車６上に外して置くための位置決め用固定部材１１を前記台車６の端部に設けたことを特徴とする放射線遮蔽簡易容器に関するものである。
【発明の効果】
【０００５】  本発明は上記のように、放射線廃棄物５投入用の重金属製放射線遮蔽簡易容器１において、前記簡易容器１は上部に投入口１ａを有する円形又は角形等の容器１を形成して前記投入口１ａに蓋２を載置し、前記簡易容器１の上部側面１ｂには板３を固定してその上面３ａに二本のレ−ル４ａ及び４ｂを敷設し、前記蓋２の両側面には前記二本のレ−ル４ａ及び４ｂに対応する跨ぎ部材２ａ及び２ｂをを設け、前記跨ぎ部材２ａ及び２ｂを前記二本のレ−ル４ａ及び４ｂに係合させることにより前記蓋２を水平方向に移動可能に設けて前記簡易容器１の投入口１ａを開閉するように形成したものであり、また前記簡易容器１を底部の鋼板１ｃと中空の重金属製遮蔽体１ｆと外周補強用管体１ｄとフランジ付き内周補強用管体１ｇと蓋２移動用板３をそれぞれ別体に形成したものを一体的に組み合わせて簡易容器１を形成することにより前記中空の重金属製遮蔽体１ｆの増減による内容積の増減調整を可能とするばかりでなく簡易容器の加工及び組立成形及び分解して清掃、設置場所の変更による移送等の処置を容易に行えるようにしたものであり、また蓋２を底板２ｃと重金属製遮蔽板２ｄと筒体２ｅと覆い板２ｆに分解して組立形成するように構成しているので前記簡易容器１本体同様加工及び組立成形及び分解して清掃、設置場所の変更による移送等の処置が容易に行えるようにしたものであり、更に前記簡易容器１の下部には台車６の上面６ａに２ヵ所以上設けたボルト等の取付け金具７に係止するための係合部材８を設けて前記台車６上に着脱自在に固定し、前記台車６の下部６ｂにはキャスタ−９を４ヵ所取り付けて移動可能に形成し、かつ台車６の一端には着脱自在な手押し部材１０を設け、更に前記手押し部材１０を台車６上に外して置くための位置決め用固定部材１１を前記台車６の端部に設け、前記簡易容器１の内部には投入される放射性廃棄物５を所定時間貯蔵した後取り出して廃棄処理するためのバケツ１２を着脱可能に収容した鉛等の重金属製放射線遮蔽簡易容器１を構成しているので、放射性廃棄物５を取扱う作業者が放射性廃棄物５から発生する放射線に被爆されないように放射線を遮蔽しつつ安全に投入出来るとともに前記鉛等の重金属で形成した放射線遮蔽簡易容器１内に収納された放射性廃棄物５を大型の放射線遮蔽容器内に素早く投入することにより手軽にかつ安全に移し替え作業が行えるので、前記放射性廃棄物５から放射される放射線に取扱い作業者が被爆されることがないばかりでなく、放射線遮蔽簡易容器１を放射性廃棄物５が発生する医療現場の近くに設置して投入処理し、前記簡易容器１を移動して前記簡易容器１内の放射性廃棄物５を所定の貯蔵場所に設置している前記大型の放射線遮蔽容器内に投入処理する事が出来るので、放射性廃棄物５の投入、移動、廃棄作業が安全に行えることと簡易容器１を組立式にしたものは、その分解清掃並びに分解して所要の場所に移送する作業が速やかにかつ楽に行うことが出来るため放射性廃棄物５取扱い作業者の飛躍的な作業性向上が得られ、放射性廃棄物５の投入、移動、廃棄作業にたづさわる作業者を放射線から保護し、さらに作業者の放射線被爆量が極めて少なくて済む等多くの優れた効果を有するものである。
【発明の実施するための最良の形態】
【０００６】  本発明の放射線遮蔽簡易容器１は、医療現場にて発生する放射性廃棄物５を前記簡易容器１内に投入して短期間保存し、前記簡易容器１内の放射性廃棄物の指定保存期限が迫ると前記簡易容器１を直接人力で移動するか或いは台車６上に前記簡易容器１を載置して固定し、その後一週間程度保存出来る大型の放射線遮蔽容器の設置位置まで移送して投入排出処理するための鉛等で形成した重金属製放射線遮蔽簡易容器１に関し、前記放射線遮蔽簡易容器１は円形又は角形に形成し、前記簡易容器１の上部側面１ａに板３を取り付けてその上面３ａには二本のレ−ル４ａ及び４ｂを敷設し、前記簡易容器１の上面には蓋２を載置し、前記蓋２の両側面に設けた跨ぎ部材２ａ及び２ｂを前記レ−ル４ａ及び４ｂに係合させて蓋２を水平方向に移動させることにより前記簡易容器１の投入口１ａを速やかにかつ楽に開閉するように形成したものであり、また前記簡易容器１内の放射性廃棄物を廃棄処理する際に軽い簡易容器１の場合は人力で移動すれば良いが重量が有る簡易容器１の場合は前記簡易容器１の下部に係合部材８を設けて台車６上に設けた取付け金具７に着脱自在に固定し、前記台車６にて大型の放射線遮蔽容器の位置まで移動して前記簡易容器１の内部に貯蔵された放射性廃棄物５を簡便に取り出し廃棄処理することが出来るように構成した放射線遮蔽簡易容器１に関するものである。
【実施例】
【０００７】    以下、図面に基づき、本発明の１実施例について更に詳しく説明すると、図１〜図１２は、本発明に係わる放射線遮蔽簡易容器１に関する説明図であり、図１は放射線遮蔽簡易容器１の第１実施例を示す組立断面図を示し、図２は第２実施例を示す組立断面図を示し、図３は図２の分解斜視図を示し、図８は図１の簡易容器を台車６上に組み立てた断面図を示し、図９は図８の平面図を示し、図１０は図８の側面図を示し、図１１は図８のＢ−Ｂ断面図を示し、図１２は図８のＣ−Ｃ断面図を示し、図１３は簡易容器１の下部に設けた係合部材８を台車６の上面に設けた取付け金具７に取り付けた状態の断面図、図１４は手押し部材１０を台車６上に外して置いた際の位置決め用固定部材１１を示し、図１５はバケツ１２の側断面図を示し、図１６は図１５の平面図を示し、図１７は従来方式の放射性廃棄物収納容器の斜視図を示す。【０００８】  本発明の放射線遮蔽簡易容器１について実施例に基づき具体的に説明すると、本発明は図１から図１６に示されている。第１実施例は放射性廃棄物５を投入して短期間貯蔵するために鉛等の重金属を用いその表面を鋼板等で補強された円形又は角形の放射線遮蔽用簡易容器１を形成し、前記簡易容器１の上部に有する放射性廃棄物５投入用の投入口１ａには水平方向に移動可能な蓋２を載置している。前記簡易容器１の上部側面１ｂには板３を取付けてその表面３ａに二本のレ−ル４ａ及び４ｂを敷設している。なお前記板３の裏面には板３の強度を補うためにパイプ又は鋼材を適宜配置して固定している。また前記蓋２の両側には前記レ−ル４ａ及び４ｂに係合して前記蓋２を水平方向に移動させるための跨ぎ部材２ａ及び２ｂを設けている。前記レ−ル４ａ及び４ｂの中心線上には一定間隔でボ−ル１３が埋め込まれ前記跨ぎ部材２ａ及び２ｂの滑りが良くなるように形成している。なおボ−ル１３に変えて前記跨ぎ部材２ａ及び２ｂの接触面にロ−ル１４を取り付けても同じ効果が得られる。
前記簡易容器１は鉛等の重金属で形成しているので内容積を増やした場合は持ち運びが大変な場合も有ることから前記簡易容器１の下部には台車６の上面６ａに２ヵ所以上取り付けたボルトナット等の取付け金具７に係止するための係合部材８を設けて、前記簡易容器１を台車６の上面６ａに着脱自在に固定するように形成している。前記台車６の下面６ｂにはキャスタ−９を４ヵ所取り付けて台車６を移動可能に形成している。前記台車６の一端に手押し部材１０を着脱自在に取り付けるために前記手押し部材１０装着用取付け部材１１を固定している。更に前記手押し部材１０は、邪魔になる場合があるのでその際に前記手押し部材１０を外して台車６上に置くための位置決め用固定部材１１を前記台車６の端部に取り付けている。
前記簡易容器１の内部には放射性廃棄物を出し入れする際に軽便に利用出来る金属製バケツ１２を収納している。これは前記簡易容器１内に投入される放射性廃棄物５を所定時間貯蔵した後取り出す際に前記簡易容器１内の放射性廃棄物による汚れ防止と取り出す際の放射性廃棄物から放射される放射線から作業者の被爆量を出来るだけ少なくすること及び廃棄処理操作が極めて早く楽に行えることからバケツ１２を利用しているものである。なお、前記バケツ１２は通常の製品を用いても良いが放射線を遮蔽する鉛等の重金属を内張りした金属製のバケツを用いること及び取り出した直後素早く蓋をすることが出来る構造のバケツ１２を用いて処理すれば更に良いことは言うまでもない。【０００９】  第２実施例は図２から図７に示されており、上部に投入口１ａを有する円形又は角形の等の容器１を形成して前記投入口１ａに蓋２を載置する構造において、前記容器１の構造は、先ず鋼板１ｃと重金属製遮蔽板１ｅを一枚又は２枚以上積み重ねて底部を形成し、前記底部の鋼板１ｃと重金属製遮蔽板１ｅとの積層体の上部に複数枚の円形又は角形に成形した中空の重金属製遮蔽体１ｆを積み重ねて簡易容器１を形成する。前記簡易容器１の外周形状に合わせた鋼製管体１ｄを形成して前記底部の鋼板１ｃと重金属製遮蔽板１ｅとの積層体及び中空の重金属製遮蔽体１ｅの外周に被せて位置決め兼補強材として利用する。更に前記中空の重金属製遮蔽体１ｆの内径に合わせたフランジ付き管体１ｇを挿着して前記重金属製遮蔽体１ｆの上面及び内面を補強するように形成している。また前記フランジ付き管体１ｇの上面には第１実施例と同様なレ−ル４ａ及び４ｂと跨ぎ部材２ａ及び２ｂを係合させて蓋２を移動させるための板３を載置した後前記底部の鋼板１ｃに取り付けたネジ孔１５と外周補強用管体１ｄの外周部に設けた取付け部材１６及び板３に設けている取付け孔３ｂをボルト１７により係合してそれぞれを一体的に組み合わせて簡易容器１を形成したものである。
前記簡易容器１に用いる蓋２においても前記簡易容器１本体同様に、蓋２を底板２ｃと前記底板２ｃの上部に載置する１枚又は２枚以上の重金属製遮蔽板２ｄと前記重金属製遮蔽板２ｄの外周を補強する筒体２ｅと前記筒体２ｅ及び前記重金属製遮蔽板２ｄの上部に載置する覆い板２ｆとにそれぞれ分解し、これら部品の製造及び分解組立成形か楽なように形成している。前記底板２ｃの表面には蓋２の開閉の際に使用する取手部材２ｇを前後方向に２ヵ所取付けるとともに蓋２の組立に使用するネジ孔を設けた棒２ｈを対角線上に２ヵ所取付けている。更に前記底板２ｃの両側面には、前記簡易容器１の上部に載置された板３の上面に取付けた２本のレ−ル４ａ及び４ｂに対応する跨ぎ部材２ａ及び２ｂを設け、蓋２が前記簡易容器１上にて水平方向に移動出来るように形成している。なお底板２ｃの前面には蓋２が水平方向に移動した際に行き過ぎないようにストッパ２ｌを設けている。前記覆い板２ｆには、前記底板２ｃに設けている取手部材２ｇと係合する長孔２ｉを設けるとともにネジ孔を設けた棒２ｈと係合する孔２ｊを設け、前記底板２ｃの取手部材２ｇと前記覆い板２ｆの長孔２ｉを係合して前記重金属製遮蔽板２ｄ及び前記筒体２ｅを位置決めするとともに前記底板２ｃに設けたネジ孔付き棒２ｈと前記覆い板２ｆに設けた孔２ｊにボルト２ｋを係合してネジ止めすることにより、前記底板２ｃと重金属遮蔽体２ｄと筒体２ｅを一体的に組合せ形成したものである。【００１０】  以上述べたように本発明の放射線遮蔽簡易容器１は、放射性廃棄物５を投入して短期間貯蔵するために鉛等の重金属を用いて円形又は角形の放射線遮蔽簡易容器１を形成し、前記簡易容器１の上部側面１ａに板３を固定してその上面３ａには二本のレ−ル４ａ及び４ｂを敷設し、前記簡易容器１の上面には蓋２を載置し、前記蓋２の両側面に設けた跨ぎ部材２ａ及び２ｂを前記レ−ル４ａ及び４ｂに係合させて蓋２を水平方向に移動させることにより前記簡易容器１の投入口１ａを開閉するように形成し、前記簡易容器１のみを医療現場の近くに設置するようにしたものである。また前記簡易容器１の下部に係合部材８を設けて台車６上に設けた取付け金具７に着脱自在に固定するように形成したのは前記簡易容器１を大型の放射線遮蔽容器の設置位置まで移動する際に台車６上に載せて固定し、移動時の安全を考慮して形成したものであり、更に前記簡易容器１内バケツ１２を収納して投入された放射性廃棄物５を簡便に取り出し廃棄処理することが出来るように構成した放射線遮蔽簡易容器１である。
また第２実施例の放射線遮蔽簡易容器１の場合は、中空状遮蔽体を増減する事による内容積の調整及び前記簡易容器１本体及び蓋２の製造及び組立分解作業ならびに汚れた際の清掃作業が極めて楽に行える利点を有するものである。
したがって放射性廃棄物５の廃棄処理作業者は放射線遮蔽簡易容器１を必要な場所に速やかに設置出来るので手軽にかつ安全に投入作業を行うことが出来る利点を有し、また放射性廃棄物５取り扱い作業者の飛躍的な作業性向上が得られ、更に医療現場の近くに設置した前記放射線遮蔽簡易容器１を台車６にて手軽に移動して大型の放射線遮蔽容器内に速やかにかつ安全に移し替える事が出来るので放射性廃棄物５の投入作業にたづさわる作業者を放射線から保護し、廃棄処理作業従事者の放射線被爆量が極めて少なくて済む等多くの優れた効果を有する放射線遮蔽簡易容器１である。
【図面の簡単な説明】
【００１１】
【図１】  本発明の放射線遮蔽簡易容器１の第１実施例を示す組立断面図。
【図２】  本発明の放射線遮蔽簡易容器１の第２実施例を示す組立断面図。
【図３】  図２の分解斜視図。
【図４】  本発明の蓋２の分解斜視図。
【図５】  本発明の蓋２を簡易容器１の上面に載置する際の説明用分解斜視図。
【図６】  本発明の蓋２の底板２ｃを簡易容器１の上部板３に載せた状態の分解斜視図。
【図７】  ろ本発明の第２実施例を示す組立斜視図。
【図８】  図１の簡易容器１を台車６上に組立た状態の断面図。
【図９】  図８の平面図。
【図１０】  図８の側面図。
【図１１】  図８のＢ−Ｂ断面図。
【図１２】  図８のＣ−Ｃ断面図。
【図１３】  簡易容器１の下部に設けた係合部材８を台車６の上面に設けた取付け金具７に取り付けた状態の断面図。
【図１４】  手押し部材１０を台車６上に外して置いた際の位置決め固定部材１１を示す断面図。
【図１５】  バケツ１２の側断面図。
【図１６】  図１５の平面図。
【図１７】  従来方式の放射性廃棄物収納容器の斜視図。
【符号の説明】
【００１２】  １．放射線遮蔽簡易容器
１ａ投入口
１ｂ簡易容器の上部側面
１ｃ底部の鋼板
１ｄ外周補強用管体
１ｅ重金属製遮蔽板
１ｆ中空の重金属製遮蔽体
１ｇフランジ付き内径及び上面補強用管体
２，蓋
２ａ蓋の底板に設けた跨ぎ部材
２ｂ蓋の底板に設けた跨ぎ部材
２ｃ蓋の底板
２ｄ蓋の重金属製遮蔽板
２ｅ蓋の重金属製遮蔽板を補強する円筒
２ｆ蓋の覆い板
２ｇ底板に設けた取手部材
２ｈ底板に設けたネジ孔付き棒
２ｉ覆い板に設けた長孔
２ｊ覆い板に設けた孔
２ｋボルト
２ｌ蓋のストッパ−
３．板
３ａ板３の表面
３ｂ取付け用孔
４ａレ−ル
４ｂレ−ル
５．放射性廃棄物
６．台車
６ａ台車の上面
６ｂ台車の下面
７，台車６の上面に設けた取付け金具
８，簡易容器１の下部に取り付けた係合部材
９，キャスタ−
１０手押し部材
１１手押し部材位置決め用固定部材
１２バケツ
１３ボ−ル
１４ロ−ル
１５ネジ孔
１６取付け部
１７ボルト
【図１】
0004721050.tif 000002
【図２】
0004721050.tif 000003
【図３】
0004721050.tif 000004
【図４】
0004721050.tif 000005
【図５】
0004721050.tif 000006
【図６】
0004721050.tif 000007
【図７】
0004721050.tif 000008
【図８】
0004721050.tif 000009
【図９】
0004721050.tif 000010
【図１０】
0004721050.tif 000011
【図１１】
0004721050.tif 000012
【図１２】
0004721050.tif 000013
【図１３】
0004721050.tif 000014
【図１４】
0004721050.tif 000015
【図１５】
0004721050.tif 000016
【図１６】
0004721050.tif 000017
【図１７】
0004721050.tif 000018